(57)【要約】【課題】  コンソール部を削減してコストの削減を図ると共に、サーバ装置の安全性を高めることができるコンソール装置を提供する。【解決手段】  サーバ装置２００を操作可能なコンソール部１００と、サーバ装置用のラック筐体に取り付けられ、取り外し可能に構成したコンソール部１００とサーバ装置２００とを電気的に接続するトレイ部１１０とを有する構成としている。このようにコンソール部１００を取り外し可能に構成したことで、他のラック筐体に搭載されたサーバ装置も１つのコンソール部１００で操作することができる。このため、コンソール部１００の数を削減し、無駄なコストを削減することができる。また１つのコンソール部１００で、複数のラック筐体に搭載されたサーバ装置２００を操作することができるので、コンソール部１００の数を制限してサーバ装置２００への不正アクセスを防止することができる。従って、安全性を高めることができる。【選択図】        図２
2006185419.tif 000002
【特許請求の範囲】
【請求項１】
サーバ装置を操作可能なコンソール部と、
前記サーバ装置用のラック筐体に取り付けられ、取り外し可能に構成した前記コンソール部と前記サーバ装置とを電気的に接続するトレイ部とを有することを特徴とするコンソール装置。
【請求項２】
前記トレイ部は、前記サーバ装置と通信を行なう通信部と、前記コンソール部と接続するコンソール接続部とを有し、
前記通信部と前記コンソール接続部とを有線で接続したことを特徴とする請求項１記載のコンソール装置。
【請求項３】
前記トレイ部は、前記サーバ装置と通信を行なう通信部と、前記コンソール部と接続するコンソール接続部とを有し、
前記コンソール部と前記コンソール接続部とを無線で接続したことを特徴とする請求項１記載のコンソール装置。
【請求項４】
前記コンソール部と前記コンソール接続部とは、所定の通信範囲内で無線通信を行なうことを特徴とする請求項３記載のコンソール装置。
【請求項５】
前記トレイ部は、前記サーバ装置からのアナログ信号をデジタル信号に変換してパケット化する第１変換手段と、
前記第１変換手段からパケットデータを受け取って、ネットワークケーブルに出力するネットワーク出力手段と、を有し、
前記コンソール部は、前記ネットワークケーブルから前記パケットデータを受信して、該パケットデータをアナログ信号に変換する第２変換手段を有することを特徴とする請求項１記載のコンソール装置。
【請求項６】
前記トレイ部は、前記サーバ装置からのアナログのシリアル信号をデジタル信号に変換してパケット化する第３変換手段と、
前記第３変換手段からパケットデータを受け取って、ネットワークケーブルに出力するネットワーク出力手段と、を有し、
前記コンソール部は、前記ネットワークケーブルから前記パケットデータを受信して、該パケットデータをアナログのシリアル信号に変換する第４変換手段を有することを特徴とする請求項１記載のコンソール装置。
【請求項７】
前記トレイ部は、前記サーバ装置からのアナログ信号をデジタル信号に変換してパケット化する第１変換手段と、
前記サーバ装置からのアナログのシリアル信号をデジタル信号に変換してパケット化する第３変換手段と、
前記第１変換手段からのパケットデータを第１ネットワークケーブルに出力し、前記第３変換手段からのパケットデータを第２ネットワークケーブルに出力するネットワーク出力手段と、を有し、
前記コンソール部は、前記第１ネットワークケーブルから前記パケットデータを受信して、該パケットデータをアナログ信号に変換する第２変換手段と、
前記第２ネットワークケーブルから前記パケットデータを受信して、該パケットデータをアナログのシリアル信号に変換する第４変換手段とを有することを特徴とする請求項１記載のコンソール装置。
【請求項８】
前記トレイ部は、サーバ装置との接続部と、前記コンソール部との接続部とをネットワークケーブルでストレート又はクロス接続したことを特徴とする請求項５から７のいずれか一項記載のコンソール装置。
【請求項９】
前記コンソール部は、バッテリを備え、
前記トレイ部は、前記バッテリを充電する充電器を備えることを特徴とする請求項１から８のいずれか一項記載のコンソール装置。
【請求項１０】
前記コンソール部と前記トレイ部とに設けたコイルによって電磁誘導現象を利用して前記バッテリへの電力供給を行うことを特徴とする請求項９記載のコンソール装置。
【請求項１１】
前記コンソール部は、電源アダプタを接続する接続部を有し、該電源アダプタを介して電源からの電力供給を受けることを特徴とする請求項１から８のいずれか一項記載のコンソール装置。
【請求項１２】
ラック筐体に複数配設されたサーバ装置と、該サーバ装置を操作するコンソール部とを備え、前記コンソール部が、前記コンソール部を前記ラック筐体内に収納するトレイ部と分離可能に構成されたラックマウントシステムであって、
前記コンソール部は、複数のラックマウントシステムに搭載された複数のサーバ装置を制御することを特徴とするラックマウントシステム。
【請求項１３】
前記複数のラックマウントシステムは、前記コンソール部と無線通信を行なう無線通信手段を有することを特徴とする請求項１２記載のラックマウントシステム。
【請求項１４】
前記トレイ部は、他の前記ラックマウントシステムの前記トレイ部と無線通信を行なう無線通信手段を有することを特徴とする請求項１２記載のラックマウントシステム。
【発明の詳細な説明】
【技術分野】
【０００１】
本発明は、サーバ装置用のラック筐体にマウント可能であって、サーバ装置のコンソール機能を備えるコンソール装置に関する。
【背景技術】
【０００２】
近年、複数台のサーバを１つのラック筐体に収納したラックマウント構成に注目が集まっている（例えば特許文献１参照）。複数台のサーバ装置を１つのラック筐体に収納することで、設置スペースの削減や、ディスプレイ、マウスの共有化によってコスト削減を図ることができる。また接続ケーブルの繁雑さから起こるケーブル抜け等の事故の発生を軽減し、安定した可動環境を提供することができる。
【０００３】
図１にこのラックマウント型の電子機器の一般的な構成を示す。ラック筐体には複数のサーバ装置２００が搭載されており、ラック筐体の中央にはラック筐体に対して引き出し式に出し入れできるようにしたコンソール部１００、いわゆるコンソールドロアが搭載されている。
【０００４】
データセンタには、このようなラックマウント構成のサーバ装置が多数配置されている。通常、図１に示すように１つのラックマウント構成に１つのコンソールが設置されているので、オペレータは、それぞれのラックマウント構成に搭載された各サーバ装置をそれぞれのコンソールを使って管理している。
【０００５】
【特許文献１】米国特許公報６６０９０３４
【発明の開示】
【発明が解決しようとする課題】
【０００６】
例えば、データセンタ内に１０本のラックマウント構成の電子装置が配置されていて、この１０本のラックマウント構成の電子装置を１人のオペレータで管理するものとする。このような場合、１つのラックマウント構成の電子装置を操作、管理している時には、残りの９つのコンソールは使用されないため、無駄になる。
【０００７】
また、１０本のラックマウント構成の電子装置が２列並べられており、それぞれの電子装置に１人のオペレータが割り当てられていたとする。この時、仮にそのうちの１人のオペレータが悪意のあるオペレータであった場合、もう１人のオペレータの隙を狙って操作を許可されていない電子装置に不正アクセスされる可能性もある。
【０００８】
さらに、ラックマウント構成に設けられたコンソール部は、通常、キーボードのスキャンコード、画像等のビデオ信号、マウス信号を取り扱うＫＶＭ装置（キーボード、ビデオ、マウス）である。このようなコンソール部が設けられたラックマウント構成に、シリアル回線で接続するサーバが搭載された場合、従来のコンソール部ではこのサーバ装置を操作することができない。すなわち、従来のコンソール部には、シリアル回線に接続するポートと、信号処理部を備えていない。
【０００９】
シリアル回線で接続するサーバ装置をコントロールするためには、ラックマウント構成の近くにターミナルエミュレータソフトをインストールしたノートＰＣを持ち込んで、シリアルケーブルでノートＰＣとサーバ装置を接続しなければならない。
【００１０】
このような方法は、ラックマウント構成において、コンソール部とノートＰＣという２つのコンソール装置を使用しなければならず、無駄なコストがかかる。
【００１１】
本発明は上記事情に鑑みてなされたものであり、不必要なコンソール部を削減してコストの削減を図ると共に、サーバ装置の安全性を高めることができるコンソール装置及びラックマウントシステムを提供することを目的とする。
【課題を解決するための手段】
【００１２】
かかる目的を達成するために本発明のコンソール装置は、サーバ装置を操作可能なコンソール部と、前記サーバ装置用のラック筐体に取り付けられ、取り外し可能に構成した前記コンソール部と前記サーバ装置とを電気的に接続するトレイ部とを有する構成としている。このようにコンソール部を取り外し可能に構成したことで、他のラック筐体に搭載されたサーバ装置も１つのコンソール部で操作することができる。このため、コンソール部の数を削減し、無駄なコストを削減することができる。また１つのコンソール部で、複数のラック筐体に搭載されたサーバ装置を操作することができるので、コンソール部の数を制限してサーバ装置への不正アクセスを防止することができる。従って、安全性を高めることができる。なお、コンソール部とサーバ装置とを電気的に接続するトレイ部は、有線でコンソール部とサーバ装置とを接続してもよいし、無線で接続するものであってもよい。
【００１３】
上記コンソール装置において、前記トレイ部は、前記サーバ装置と通信を行なう通信部と、前記コンソール部と接続するコンソール接続部とを有し、前記コンソール部と前記コンソール接続部とを有線で接続している。コンソール部とコンソール接続部とが有線で接続されているので、コンソール部によってサーバ装置の操作を精度よく行なうことができる。
【００１４】
上記コンソール装置において、前記トレイ部は、前記サーバ装置と通信を行なう通信部と、前記コンソール部と接続するコンソール接続部とを有し、前記コンソール部と前記コンソール接続部とを無線で接続している。従って、コンソール部とコンソール接続部との接続、切断の時の手間を省くことができる。
【００１５】
上記コンソール装置において、前記コンソール部と前記コンソール接続部とは、所定の通信範囲内で無線通信を行なうとよい。コンソール部とコンソール接続部とを所定の通信範囲内で無線通信するようにしたので、コンソール部とコンソール接続部との１対１の通信を保証し、セキュリティを向上させることができる。
【００１６】
上記コンソール装置において、前記トレイ部は、前記サーバ装置からのアナログ信号をデジタル信号に変換してパケット化する第１変換手段と、前記第１変換手段からパケットデータを受け取って、ネットワークケーブルに出力するネットワーク出力手段と、を有し、前記コンソール部は、前記ネットワークケーブルから前記パケットデータを受信して、該パケットデータをアナログ信号に変換する第２変換手段を有しているとよい。従って、トレイ部とコンソール部の通信をネットワークケーブルを用いて行うので、トレイ部とコンソール部の通信のための接続が簡単となり、データの情報量が多くなってもトレイ部とコンソール部でデータ通信を行うことができる。
【００１７】
上記コンソール装置において、前記トレイ部は、前記サーバ装置からのアナログのシリアル信号をデジタル信号に変換してパケット化する第３変換手段と、前記第３変換手段からパケットデータを受け取って、ネットワークケーブルに出力するネットワーク出力手段と、を有し、前記コンソール部は、前記ネットワークケーブルから前記パケットデータを受信して、該パケットデータをアナログのシリアル信号に変換する第４変換手段を有しているとよい。ラック筐体にシリアル回線で接続するサーバ装置が搭載されても、コンソール装置をサーバ装置に接続して制御することができる。
【００１８】
上記コンソール装置において、前記トレイ部は、前記サーバ装置からのアナログ信号をデジタル信号に変換してパケット化する第１変換手段と、前記サーバ装置からのアナログのシリアル信号をデジタル信号に変換してパケット化する第３変換手段と、前記第１変換手段からのパケットデータを第１ネットワークケーブルに出力し、前記第３変換手段からのパケットデータを第２ネットワークケーブルに出力するネットワーク出力手段と、を有し、前記コンソール部は、前記第１ネットワークケーブルから前記パケットデータを受信して、該パケットデータをアナログ信号に変換する第２変換手段と、前記第２ネットワークケーブルから前記パケットデータを受信して、該パケットデータをアナログのシリアル信号に変換する第４変換手段を有しているとよい。ラック筐体にシリアル回線で接続するサーバ装置が搭載されても、コンソール装置をサーバ装置に接続して制御することができる。また、トレイ部とコンソール部の通信をネットワークケーブルを用いて行うので、トレイ部とコンソール部の通信のための接続が簡単となり、データの情報量が多くなってもトレイ部とコンソール部でデータ通信を行うことができる。
【００１９】
上記コンソール装置において、前記トレイ部は、サーバ装置との接続部と、前記コンソール部との接続部とをネットワークケーブルでストレート又はクロス接続するとよい。
【００２０】
上記コンソール装置において、前記コンソール部は、バッテリを備え、前記トレイ部は、前記バッテリを充電する充電器を備えているとよい。従って、コンソール部を単独で動作させることができる。
【００２１】
上記コンソール装置において、前記コンソール部と前記トレイ部とに設けたコイルによって電磁誘導現象を利用して前記バッテリへの電力供給を行うとよい。従って、バッテリの充電が容易になる。
【００２２】
上記コンソール装置において、前記コンソール部は、電源アダプタを接続する接続部を有し、電源アダプタを介して電源からの電力供給を受けるとよい。従って、コンソール部を単独で動作させることができる。
【００２３】
本発明のラックマウントシステムは、ラック筐体に複数取り付けられたサーバ装置と、該サーバ装置を操作するコンソール部とを備え、前記コンソール部が、前記コンソール部を前記ラック筐体内に収納するトレイ部と分離可能に構成されたラックマウントシステムであって、前記コンソール部は、複数のラックマウントシステムに搭載された複数のサーバ装置を制御する構成を備えている。コンソール部が、複数のラックマウントシステムに搭載されたサーバ装置を制御可能であるので、コンソール部の数を削減して、無駄なコストを削減することができる。またコンソール部の数を削減することができるので、サーバ装置への不正アクセスを防止し、安全性を高めることができる。
【００２４】
上記ラックマウントシステムにおいて、前記複数のラックマウントシステムは、前記コンソール部と無線通信を行なう無線通信手段を有しているとよい。コンソール部が無線によって複数のラックマウントシステムと通信を行なうことで、コンソール部を移動させなることなく他のラックマウントシステムに搭載されたサーバ装置を操作することができる。
【００２５】
上記ラックマウントシステムにおいて、前記トレイ部は、他の前記ラックマウントシステムの前記トレイ部と無線通信を行なう無線通信手段を有しているとよい。トレイ部間で無線通信を行なうことで、コンソール部を移動させなることなく他のラックマウントシステムに搭載されたサーバ装置を操作することができる。また、コンソール部とコンソール接続部とを接続する時、または接続を切断する時の手間を省くことができる。
【発明の効果】
【００２６】
本発明は、複数のラックマウントシステムをそれよりも数の少ないコンソール部で操作できるようにしたことでコストの削減を図り、サーバ装置の安全性を高めることができる。
【発明を実施するための最良の形態】
【００２７】
添付図面を参照しながら本発明の最良の実施例を説明する。
【実施例１】
【００２８】
まず、図２を参照しながら本実施例のコンソール装置１の構成を説明する。図２に示すように本実施例のコンソール装置１は、コンソール部１００と、トレイ部１１０とを備えている。コンソール部１００には、ディスプレイ１０１、キーボード１０２、マウス１０３が設けられ、図１に示すようなラック筐体に収納されたサーバ装置２００を制御可能な構成を具備している。
【００２９】
トレイ部１１０は、図２に示すようにトレイ１１１、コンソール接続部１１２、サーバ接続部１１３を有し、トレイ１１１とコンソール接続部１１２がガイドレール１１４に沿って引き出し可能に取り付けられている。またコンソール接続部１１２とサーバ接続部１１３とはケーブル１１５によって電気的に接続されている。なお、ここでは、コンソール接続部１１２とサーバ接続部１１３、すなわち、コンソール部１００とサーバ装置２００とを有線で接続しているが、無線によって電気的に接続するものであってもよい。
【００３０】
コンソール接続部１１２は、コンソール部１００との電気的な接続を取るところであり、図３に示すようにＶＧＡ（Ｖｉｄｅｏ  Ｇｒａｐｈｉｃｓ  Ａｒｒａｙ）ポート（ＯＵＴ）１２０、マウスポート（ＩＮ）１２１、キーボードポート（ＩＮ）１２２、電源ポート（ＯＵＴ）１２３の各コネクタをトレイ１１１側に出している。
【００３１】
一方、コンソール部１００には、ＶＧＡポート（ＩＮ）１３０、マウスポート（ＯＵＴ）１３１、キーボードポート（ＯＵＴ）１３２、電源ポート（ＩＮ）１３３が設けられ、逆の極性のコネクタを出している。コンソール接続部１１２とコンソール部１００とに設けたポートは、対応するポート同士が接続を取れるように配置されており、コンソール部１００をトレイ１１１上に載せて押し込む形で装着する。逆に分離する時には、コンソール部１００をトレイ１１１から引き抜き、取り外す。このようにしてコンソール部１００は、トレイ部１１０から取り外し可能に構成されている。
【００３２】
図４にトレイ部１１０の詳細な構成を示す。サーバ接続部１１３は、電源ユニット１４０とＫＶＭ（Ｋ：Ｋｅｙｂｏａｒｄ、Ｖ：Ｖｉｄｅｏ、Ｍ：Ｍｏｕｓｅ）スイッチ１４１とを備えている。ＫＶＭスイッチ１４１は、コンソール接続部１１２とケーブル１１５で接続している。ケーブル１１５には、図４に示すように電源ケーブル１１５ａ、キーボードケーブル１１５ｂ、マウスケーブル１１５ｃ、ＶＧＡケーブル１１５ｄが含まれる。
【００３３】
このように構成したコンソール装置１は、サーバ装置２００を搭載したラック筐体内に収納される。図５にコンソール装置１のラック筐体への取り付け構造を示す。図５に示すようにラック筐体は、鉛直方向に、互いに平行に立設される複数（本実施例では４本）の支柱１１７を備え、それら支柱１１７に囲まれる領域に、予め定めた寸法のコンソール装置１が取り付けられる。またラック筐体内には、複数のサーバ装置２００の接続切り替えを行なうための切り替え装置や、電源装置が搭載されている。
【００３４】
コンソール部１００は、非使用時にディスプレイ１０１をキーボード１０２の操作面に対向させて、キーボード１０２上に重なった状態で収納することができる。またコンソール部１００の使用時には、図５に示すようにガイドレール１１４に沿ってコンソール部１００を手前側に引き出し、ディスプレイ１０１を回動させて使用する。
【００３５】
図６に、コンソール部１００＿（１）とトレイ部１１０＿（１）との配線接続例を示す。サーバ接続部１１３に設けられたＫＶＭスイッチ１４１と、コンソール接続部１１２の各ポート１２０、１２１、１２２、１２３とがケーブル１１５ａ，１１５ｂ，１１５ｃ，１１５ｄでそれぞれ接続されている。トレイ部１１０＿（１）の電源ユニット１４０から電源ケーブル１１５ａで送られた電力は、コンソール部１００＿（１）側では電源ポート１３３から取り込み、電源供給部１０５に送る。電源供給部１０５からディスプレイ１０１に電力が供給され、マウス１０３やキーボード１０２は、ディスプレイ１０１から電力供給を受ける。また、ＫＶＭスイッチ１４１で選択接続したサーバ装置２００からのビデオ信号は、ケーブル１１５ｄによってコンソール部１００＿（１）側に送信される。コンソール部１００＿（１）は、ビデオ信号をＶＧＡポート１３０で取り込み、ビデオ処理部（簡単のためＶ処理部とも表記する）１０４でディスプレイに表示するための処理が施される。Ｖ処理部１０４は、処理後の信号をディスプレイ１０１に出力し、画像を表示させる。さらに、マウス１０３から出力されたマウスデータ、キーボード１０２から出力されたスキャンコードは、それぞれマウスポート１３１、キーボードポート１３２からトレイ部１１０＿（１）に出力される。トレイ部１１０＿（１）は、マウスデータをマウスポート１２１、スキャンコードをキーボードポート１２２で取り込み、ケーブル１１５ｃ、１１５ｄによってＫＶＭスイッチ１４１に送信する。ＫＶＭスイッチ１４１では、設定に従って、該当するサーバ装置（２００）＿０，１，・・・ｎにマウスデータ、スキャンコードを出力する。
【００３６】
またコンソール部１００とトレイ部１１０の接続構成は、図６に示すものだけではなく、例えば図７に示す構成であってもよい。図７では、サーバ接続部１１３と、コンソール接続部１１２との間をネットワークケーブル１１８で接続している。サーバ装置２００から送られたアナログのビデオ信号は、ＫＶＭスイッチ１４１を介してＩＰ−ＫＶＭ装置（本発明の第１変換手段、ネットワーク出力手段に該当する）１４２に入力される。ＩＰ−ＫＶＭ装置１４２は、アナログのビデオ信号をデジタルに変換し、さらにこのデジタルのビデオ信号をパケットに分割する。パケット化されたビデオ信号は、ＩＰ−ＫＶＭ装置１４２によってネットワークケーブル１１８に出力される。ネットワークケーブル１１８には例えばＣＡＴ５ケーブルなどが使用される。ＣＡＴ５ケーブルを用いてＩＰ−ＫＶＭ装置１４２とコネクタ１１６との間を、ストレート又はクロスで接続する。ＩＰ−ＫＶＭ装置１４２の詳細については、米国特許第６，５６７，８６９号に記述がある。
【００３７】
トレイ部１１０とコンソール部１００とは、コネクタ１１６とコネクタ２０１で接続されている。コンソール部１１０は、ビデオ信号のパケットをＩＰ送受信部（本発明の第２変換手段に該当する）１０６で受信する。ＩＰ送受信部１０６は、受信したパケットからデジタルのビデオ信号を取り出し、アナログに変換してＫＶＭ処理部１０７に出力する。ＫＶＭ処理部１０７からビデオ信号がディスプレイ１０１に出力され、画像がディスプレイ１０１に表示される。また、マウス１０３から出力されたマウスデータや、キーボード１０２から出力されたスキャンコードは、ＫＶＭ処理部１０７を介してＩＰ送受信部１０６でパケットに変換され、ネットワークケーブル１１８に出力される。トレイ部１１０は、このパケットをＩＰ−ＫＶＭ装置１４２で受信し、パケットからスキャンコードやマウスデータを取り出す。これらのデータは、ＫＶＭスイッチ１４１に設定されたサーバ装置２００に出力される。なお、図７には、電源ユニット１４０が図示されていないが、図６に示すようにサーバ接続部１１３上に設けられ、ネットワークケーブルとは別の電源ケーブルでコンソール部１００＿（２）側に送られる。コンソール部１００＿（２）側にも上述した電源供給部１０５が設けられ、電源をディスプレイ１０１、キーボード１０２、マウス１０３に供給する。また、以下に示す実施例２〜６のトレイ部とコンソール部にも図示してはいないが、同様な電源ユニット１４１と電源供給部１０５が備えられている。
【００３８】
図８、９を参照しながら、オペレータが、ラックマウントシステム１〜Ｎを運用し操作する状況を説明する。なお、以下では、ラック筐体内に、複数のサーバ装置２００やコンソール装置１を収納したシステムをラックマウントシステムと呼ぶ。
【００３９】
まず、オペレータ１５１は、図８に示すようにラックマウントシステム（１５０）＿１のトレイ部（１１０）＿１を引き出しコンソール部（１００）を装着する。一方、ラックマウントシステム（１５０）＿Ｎのトレイ部（１１０）＿Ｎはコンソール部（１００）が接続していない状態で格納する。この状態により、ラックマウントシステム（１５０）＿１が操作可能な状態となり、オペレータ１５１は、コンソール部１００を使用して、ラックマウントシステム（１５０）＿１のサーバ装置２００を操作する。
【００４０】
次に、オペレータ１５１は、ラックマウントシステム（１５０）＿Ｎの操作を行なう。オペレータ１５１は、トレイ部（１１０）＿１からコンソール部（１００）を取り外し、取り外したコンソール部（１００）をラックマウントシステム（１５０）＿Ｎへ持参する。そして、オペレータ１５１は、図９に示すようにトレイ部（１１０）＿Ｎへ持参したコンソール部（１００）を装着する。これにより、ラックマウントシステム（１５０）＿Ｎは操作される。
【００４１】
このような手順で、オペレータ１５１はラックマウントシステム（１５０）＿１〜Ｎを運用していくが、オペレータ１５１がコンソール部（１００）を接続しない場合は、ラックマウントシステム（１５０）内にはトレイ部１１０だけが存在する。このため、例えば悪意の第三者がトレイ部１１０を引き出したとしてもコンソール部１００がないため、トレイ部１１０だけではサーバ装置２００にアクセスして操作することができない。
【００４２】
このように本実施例は、コンソール部１００を取り外し可能に構成したことで、他のラックマウントシステムのサーバ装置２００も１つのコンソール部１００で操作することができる。このため、コンソール部１００の数を削減し、無駄なコストを削減することができる。またコンソール部１００の数を制限することで、サーバ装置２００への不正アクセスを防止することができる。従って、安全性を高めることができる。
【実施例２】
【００４３】
添付図面を参照しながら本発明の第２実施例を説明する。本実施例は、ラック筐体に搭載したサーバ装置２００が、コンソール部１１０との接続にシリアル回線を使用する場合の実施例である。図１０に本実施例の構成図を示す。図１０に示す各サーバ装置（２００）＿０，１，・・・，ｎがシリアル回線５００でサーバ接続部１１３に接続されている。
【００４４】
トレイ部１１０＿（３）には、サーバ装置２００との接続にシリアルＬＡＮコンバータ（本発明の第３変換手段と、ネットワーク出力手段に該当する）１４３を設けている。シリアルＬＡＮコンバータ１４３は、図１０に示すようにラック筐体に搭載したサーバ装置２００と同数設けられており、各サーバ装置２００に対応して１つずつ設けられている。シリアルＬＡＮコンバータ１４３は、ＬＡＮのネットワークに接続できない各種シリアル通信機器をＬＡＮのネットワークに接続する機器であり、シリアル回線５００を介して受信したビデオ信号を、ＬＡＮのネットワークで通信可能なパケットに変換する。複数のシリアルＬＡＮコンバータ１４３の出力は、ＨＵＢ１４４に集められ、ＨＵＢ１４４からネットワークケーブル１１８に出力される。
【００４５】
コンソール部１００＿（３）は、ネットワークケーブル１１８で送信されたパケットをシリアルＬＡＮコンバータ（本発明の第４変換手段に該当する）１０８で受信し、ここでパケットデータからシリアルデータに変換する。シリアルＬＡＮコンバータ１０８で変換されたシリアル信号は、ターミナルエミュレータ（以下、ＴＥとも略記する）（本発明の第４変換手段に該当する）１０９に出力される。ＴＥ１０９は入力したシリアルデータをアナログデータに変換し、ディスプレイ１０４に出力する。ＴＥ１０９の詳細についても、米国特許第６，５６７，８６９号公報に記述がある。
【００４６】
また、マウス１０３から出力されたマウスデータ、キーボード１０２から出力されたスキャンコードは、ＴＥ１０９でシリアルデータに変換され、シリアルＬＡＮコンバータ１０８でパケットに変換される。変換されたパケットは、シリアルＬＡＮコンバータ１０８からネットワークケーブル１１８に出力される。
【００４７】
トレイ部１１０では、ネットワークケーブル１１８を介して送信されたパケットをＨＵＢ１４４で取り込み、ＨＵＢ１４４から目的のサーバ装置２００に接続したシリアルＬＡＮコンバータ１４３に出力される。パケットを受信したシリアルＬＡＮコンバータ１４３は、パケットからシリアルデータを取り出して、接続しているサーバ装置２００にデータを送信する。
【実施例３】
【００４８】
添付図面を参照しながら本発明の第３実施例を説明する。本実施例では、コンソール部１１０との接続にシリアル回線を使用するサーバ装置（図１１に示すサーバ装置（２００）＿ｎ）と、その他の通信ケーブルで接続され、ＫＶＭスイッチにより選択的に接続されるサーバ装置（図１１に示すサーバ装置（２００）＿０，＿１）とが混在している場合のシステム構成である。
【００４９】
上述した実施例２のようにシリアル回線を使用するサーバ装置（２００）＿ｎの通信経路上には、シリアルＬＡＮコンバータ１４３が設けられ、ＨＵＢ１４４を介してネットワーク１１８にパケットデータが出力される。また、ＫＶＭスイッチ１４１により選択的に接続されるサーバ装置（２００）＿０，＿１の通信経路上には、ＫＶＭ装置１４１とＩＰ−ＫＶＭ装置１４２とが設けられ、パケットデータがＩＰ−ＫＶＭ装置１４２からＨＵＢ１４４に出力される。
【００５０】
ネットワークケーブル１１８は、シリアル回線を使用するサーバ装置（２００）＿ｎ用のケーブル１１８＿（２）と、ＫＶＭスイッチにより選択的に接続されるサーバ装置（２００）＿０，１用のケーブル１１８＿（２）が用意されている。ＨＵＢ１４４は、サーバ装置（２００）＿０，１から出力されたビデオ信号のパケットデータをネットワークケーブル１１８＿（１）に出力し、サーバ装置＿ｎから出力されたビデオ信号のパケットデータをネットワークケーブル１１８＿（２）に出力する。
【００５１】
またコンソール部１００＿（４）にもシリアル回線を使用するサーバ装置（２００）＿ｎ用として、シリアルＬＡＮコンバータ１０８とＴＥ１０９とが設けられ、ＫＶＭスイッチにより選択的に接続されるサーバ装置（２００）＿０，１用として、ＩＰ受信部１０６とＫＶＭ処理部１０７とが設けられている。ＫＶＭ処理部１０７とＴＥ１０９から出力されるアナログのビデオ信号は、ＫＶＭスイッチ２１０によってディスプレイ１０１に出力される。
【００５２】
また、ＫＶＭスイッチ２１０は、マウス１０３からマウスデータを入力したり、キーボード１０２からスキャンコードを入力したりすると、現在どのサーバ装置が選択されているかを判定し、サーバ装置２００の使用するケーブルの特性に応じて、ＫＶＭ処理部１０７又はＴＥ１０９にマウスデータ、スキャンコードを出力する。例えば、サーバ装置（２００）＿０が選択されている場合には、ＫＶＭ処理部１０７にデータを出力し、サーバ装置（２００）＿ｎが選択されている場合には、ＴＥ１０９にデータを出力する。
【実施例４】
【００５３】
添付図面を参照しながら本発明の第４実施例を説明する。上述した実施例１〜３では、コンソール部１００とトレイ部１１０とをコネクタで接続していた。しかし、前述したような単純なコネクタの接続では、コンソール部１００の接続と切り離しとを繰り返すうちに、コネクタ接点が磨耗し、接触不良を引き起こす可能性がある。そこで、本実施例では、コンソール部１００＿（５）とトレイ部１１０＿（５）とに無線通信部１６１、１６２を設けて、コンソール部１００＿（５）とトレイ部１１０＿（５）とが無線通信によってデータの送受信を行なう。
【００５４】
図１２に、本実施例の構成を示す。コンソール接続部１１２とコンソール部１００＿（５）は、互いに通信可能な無線通信部（１６１）と、無線通信部（１６２）を内蔵する。無線によって、ディスプレイ１０１、キーボード１０２、マウス１０３のデータを送受信する。無線方式については特に限定しないが、ＩｒＤＡ（Ｉｎｆｒａｒｅｄ  Ｄａｔａ  Ａｓｓｏｃｉａｔｉｏｎ）、Ｂｌｕｅｔｏｏｔｈ、ＨｏｍｅＲＦ（Ｈｏｍｅ  Ｒａｄｉｏ  Ｆｒｅｑｕｅｎｃｙ）、無線ＬＡＮ（Ｗｉｒｅｌｅｓｓ  Ｌｏｃａｌ  Ａｒｅａ  Ｎｅｔｗｏｒｋ）などを例として挙げることができる。
【００５５】
図１３に、コンソール部１００＿（５）と、コンソール接続部１１２の内部構成を示す。図１３に示すようにコンソール部１００＿（５）側には、無線通信部１６２と、データ処理部１６４とが設けられている。データ処理部１６４は、無線通信部１６２を介して受信した画像データをディスプレイ１０１に表示する。また、データ処理部１６４は、キーボード１０２、マウス１０３からの操作入力を無線通信部１６２を介してコンソール接続部１１２側に送信する。
【００５６】
図１４には、トレイ部１１０＿（５）とコンソール部１００＿（５）とが無線ＬＡＮによって通信する場合の構成を示している。トレイ部１１０＿（５）の構成は、図７に示すトレイ部１１０と同様に、ＫＶＭスイッチ１４１、ＩＰ−ＫＶＭ装置１４２が設けられている。ＩＰ−ＫＶＭ装置１４２によってネットワークケーブル１１８に出力されたパケットデータは、無線ＬＡＮ送受信部１４５から無線通信によってコンソール部１００＿（５）に送信される。コンソール部１００＿（５）側にも無線ＬＡＮ送受信部２０２が設けられており、トレイ部１１０＿（５）から送信された無線のパケットデータをここで受信する。また、マウス１０３から出力されるマスウデータ、キーボード１０２から出力されるスキャンコードは、ＩＰ送受信部１０６でパケットデータに変換され、無線ＬＡＮ送受信部２０２からトレイ部１１０＿（５）に送信される。本実施例のコンソール部１００＿（５）にも、図７に示すコンソール部１００＿（５）と同様の機能を果たすＩＰ送受信部１０６ＫＶＭ処理部１０７が設けられている。
【００５７】
また、複数のラックマウントシステム１５０間を無線で通信できるようにしてもよい。この場合、図１５に示すようにコンソール接続部１１２に設けた無線通信部１７０によって隣接するトレイ１１１間でデータの送受信を行なう。この場合、各ラックマウントシステムにシリアルのＩＤ番号を付与しておいて、コンソール部１００又はサーバ装置２００は、データにシリアルＩＤを付けて送受信を行なう。無線通信部１７０は、自身に割り当てられたシリアルＩＤのデータであった場合にだけデータを取り込み、それ以外のデータは、他のラックマウントシステム１５０に送信する。このような構成とすることで、コンソール部１００をトレイ部１１０から取り外して移動させる必要がなくなり、操作の手間を省くことができる。
【００５８】
なお、図１５に示す実施例では、トレイ部１１０間で無線通信を行なう方法を例に説明したが、図１６に示すようにラックマウントシステム１５０のラック筐体にアンテナ１８０を取り付けて、コンソール部１００がアンテナ１８０を介してラックマウントシステム１５０と無線通信を行なうようにしてもよい。この場合、ラックマウントシステム１５０側に、アンテナ１８０を介して受信したデータを各サーバ装置２００に振り分ける制御装置が必要となる。
【実施例５】
【００５９】
上述した実施例４では、無線による接続方法を説明したが、無線を使用した時の問題点として、データを盗聴される可能性がある。このような問題に対処するために、コンソール部１００の無線通信部１６２と、コンソール接続部１１２の無線通信部１６１とが無線通信可能な距離に制限をつけるとよい。例えば、ＩｒＤＡ１．３の規格を採用して、通信距離を２０ｃｍとする。通信可能な距離を所定距離以内とすることで、コンソール部１００とコンソール接続部１１２の１対１の通信を保証し、データの盗聴を防止することができる。
【実施例６】
【００６０】
添付図面を参照しながら本発明の第６実施例を説明する。本実施例は、コンソール部１００をトレイ部１１０から取り外し、シリアル回線を使用するサーバ装置２００と直接シリアル回線で接続する。図１７にコンソール部１００＿（６）とサーバ装置２００との接続の様子を示す。
【００６１】
図１８において、サーバ装置２００は、シリアル回線でコンソール装置１００に直接接続している。サーバ装置２００は、ターミナルエミュレータ（ＴＥ）１０９に接続されている。ＴＥ１０９はＫＶＭスイッチ２１０に接続している。ＫＶＭスイッチ２１０は、データ処理部１６４にも接続し、接続先をＴＥ１０９とデータ処理部１６４とで切り替える。また、ＫＶＭスイッチ２１０には、データ処理部２１１も接続され、キーボード１０２、マウス１０３のデータがデータ処理部２１１からＫＶＭスイッチ２１０に出力される。さらに、ＫＶＭスイッチ２１０には、ＫＶＭスイッチ切換ボタン１６５が接続されている。ＫＶＭスイッチ切換ボタン１６５は、ＫＶＭスイッチ２１０の接続先を切り替えることができる。すなわち、サーバ装置２００とシリアル回線で接続するのか、無線通信部１６２により無線通信回線で接続するのかを切り替えることができる。
【００６２】
コンソール部１００とシリアル回線で接続したサーバ装置２００は、ビデオ信号をコンソール部１００に出力する。ＴＥ１０９は、ビデオ信号をＫＶＭスイッチ２１０に出力する。ビデオ信号は、ＫＶＭスイッチ２１０からデータ処理部２１１に出力される。データ処理部２１１は、ビデオ信号をディスプレイに表示するための処理を行い、処理後のデータをディスプレイ１０１に出力して表示させる。
【００６３】
オペレータは、ディスプレイ１０１の表示を確認してキー入力やマウス操作を行う。入力されたスキャンコードやマウスデータは、データ処理部２１１からＫＶＭスイッチ２１０に送信される。ＫＶＭスイッチ２１０は、シリアル回線でサーバ装置２００が接続されているので、ＴＥ１０９にスキャンコードやマウスデータを送信する。ＴＥ１０９は、スキャンコードやマウスデータをシリアル回線によってサーバ装置２００に送信する。これによって、サーバ装置２００が操作される。
【００６４】
また、オペレータは、サーバ装置２００との接続をシリアル回線から無線回線に切り替える時には、ＫＶＭスイッチ切換ボタン１６５を操作してＫＶＭスイッチ２１０の切り換えを行う。接続先をデータ処理部１６４に切り替えられたＫＶＭスイッチ２１０は、データの出力先をデータ処理部１６４に変更し、データ処理部１６４は、データを無線のパケットに変換して、無線通信部１６２に出力する。無線通信部１６２から無線通信によってパケットが接続されたサーバ装置２００に送信される。
【００６５】
このように本実施例は、コンソール部１００を取り外し、例えば、コンソールを常設していないサーバ装置２００であってもサーバ装置２００を操作することが可能となる。なお、サーバ装置２００からコンソール部１００に送信される文字コードを、コンソール部１００内の内部メモリ（不図示）や、外部メディアにログとして蓄積するように構成してもよい。
【００６６】
本実施例では、切換専用に、ＫＶＭスイッチ切換ボタン１６５を設けたが、キーボードのホットキーを利用して無線回線での接続と、シリアル回線での接続を切り替えてもよい。さらにＫＶＭスイッチ２１０が備えるＯＳＤ（On Screen Display）の機能を利用して、ディスプレイ１０１に操作ボタンを表示させて切り替えるものであってもよい。
【００６７】
なお、本実施例のコンソール部１００＿（６）は、ノートＰＣとは違い、起動までの時間が早い。理由は、コンソール部１００を構成する各機器が電源投入後すぐに起動するからである。ターミナルエミュレータソフトをインストールしたノートＰＣでは、ＯＳの起動時間やターミナルエミュレータソフトの起動時間を必要とし、作業時間を浪費しているが、本実施例のコンソール部１００を使用することですぐに作業を開始することができ、作業時間の短縮が可能となる。
【実施例７】
【００６８】
添付図面を参照しながら本発明の第７実施例を説明する。上述した実施例１〜６では、コンソール部１００は、トレイ部１１０に接続した時にトレイ部１１０に設けた電源ユニット１４０から電源供給を受けて動作していた。しかしながら、実施例４、５のようにコンソール部１００とトレイ部１１０とが無線通信を行う場合、コンソール部１００をトレイ部１１０上に載せずに使用する場合もある。そこで、本実施例では、図１９に示すようにコンソール部１００＿（７）側にバッテリ３５０を設けて、バッテリ３５０の電力によってコンソール部１００が動作するように構成する。
【００６９】
またトレイ部１１０＿（７）側には、バッテリ３５０を充電するための充電器３０１を設けている。図１９に示すように充電器３０１を無停電電源等の外部電源３００に接続し、外部電源３００からの電源供給を受けてバッテリ３５０を充電する。トレイ１１１上にコンソール部１００＿（７）を載せて、トレイ部１１０＿（７）とコンソール部１００＿（７）とを電気的に接続する。充電器３０１とバッテリ３５０とは、コネクタ３０２とコネクタ３５１で接続される。充電器３０１は、バッテリ３５０に接続すると、充電電流を充電器３０１に供給し、バッテリ３５０が充電される。
【００７０】
また、図１９に示す構成では、バッテリ３５０の充電時に、トレイ部１１０＿（７）とコンソール部１００＿（７）とをコネクタ３０２、３５１で接続しなければならなかった。しかしながら図２０に示すように、トレイ１１１に一次コイル３０３、コンソール部１００＿（８）側に二次コイル３６１を設けて、電磁誘導現象を利用してバッテリ３５０への電力供給を行うことで、バッテリ３５０の充電をより簡単に行うことができる。すなわち、トレイ１１１上の所定位置にコンソール部１００＿（８）を載せるだけで、バッテリ３５０が充電される。
【００７１】
図２１に、電磁誘導現象を利用してバッテリ３５０を充電するシステムの構成を示す。図２１に示すようにトレイ部１００＿（８）側には、発振回路３０３と一次コイル３０４とを設け、発振回路３０３には無停電電源等の外部電源３００からの電源が供給される。またコンソール部１００＿（８）側には、二次コイル３６１を含む電力受給部３６０と、電力受給部３６０で受け取った電力を蓄えるバッテリ３５０とを設ける。二次コイル３６１は、図２０に示すようにコンソール部１００＿（８）の裏面側に設けられており、電力受給部３６０と接続されている。一次コイル３０４と二次コイル３６１６とが近接することでトランスを形成し、電力受給部３６０へ電力が伝達される。効率良く電力を伝達するために、一次コイル３０４と二次コイル３６１とは磁束が通過する方向に近接することが一般的である。また各コイルの巻数、電力受給部３６０に設けられた整流用のコンデンサ（不図示）の定数、発振回路３０３の発振周波数は効率良く電力が伝達されるように調整される。このようにトレイ１１１上にコンソール部１００＿（８）を置くだけでバッテリ３５０の充電ができるため、オペレータの利便性を高めることができる。さらに、コネクタ等の接続部を設けていないので、接続部の磨耗を防止することができる。
【００７２】
なお、上記実施例では、バッテリを搭載した例を説明したがバッテリの代わりに燃料電池を搭載してもよい。さらに、ディスプレイ１０１には、バッテリの充電状況を表示して、充電タイミングを認識できるようにするとよい。また、バッテリの充電状況の通知用にＬＥＤを搭載してもよい。例えば、フル充電で緑が点灯、充電量が３分の２になると橙点灯、充電量が３分の１になると赤が点灯するといった具合である。その他にＬＣＤにバッテリの充電状況を表示させてもよい。
【００７３】
さらに、図２２に示すように、電源アダプタ付きの電源ケーブルを接続するジャック３７２をコンソール部１００＿（９）に設けてもよい。図２３に示すように外部電源からの電源を電源アダプタ３７０を介して電源処理部３７１で受ける。電源処理部３７１は、バッッテリとしても機能し、外部電源に接続しているときには電源の充電を行う。また電源処理部３７１は、電源をディスプレイ１０１、キーボード１０２、マウス１０３、データ処理部１６４、無線通信部１６２等に供給する。
【００７４】
上述した実施例は本発明の好適な実施の例である。但し、これに限定されるものではなく、本発明の要旨を逸脱しない範囲内において種々変形実施可能である。
【図面の簡単な説明】
【００７５】
【図１】ラックマウント構成を示す図である。
【図２】コンソール装置の構成を示す図である。
【図３】コンソール部とトレイ部との接続構成を示す図である。
【図４】サーバ接続部とコンソール接続部の構成を示す図である。
【図５】ラック筐体に搭載されたコンソール部の構成を示す図である。
【図６】コンソール部とトレイ部の接続構成を示す図である。
【図７】ネットワークケーブルを使用してコンソール部とトレイ部とを接続した構成を示す図である。
【図８】ラックマウントシステムの使用方法を説明するための図である。
【図９】ラックマウントシステムの使用方法を説明するための図である。
【図１０】シリアル回線でサーバ装置を接続した時のコンソール部とトレイ部の接続構成を示す図である。
【図１１】シリアル回線で接続するサーバ装置と、ＫＶＭスイッチにより選択的に接続されるサーバ装置とが混在する場合のコンソール部とトレイ部の接続構成を示す図である。
【図１２】コンソール部とコンソール接続部との接続例を示す図であり、無線によりデータを送受信する構成を示す図である。
【図１３】コンソール部とコンソール接続部との内部構成を示す図である。
【図１４】無線ＬＡＮによりコンソール部とトレイ部とを接続した場合の接続構成を示す図である。
【図１５】ラックマウントシステム間の通信を説明するための図である。
【図１６】ラックマウントシステム間の通信を説明するための図である。
【図１７】コンソール部とサーバ装置を直接接続した構成を示す図である。
【図１８】サーバ装置に直接接続したコンソール部の構成を示す図である。
【図１９】コンソール部にバッテリを搭載した時のコンソール部とトレイ部の構成を示す図である。
【図２０】トレイ部に設けた一次コイルを表し、バッテリ充電時のコンソール部の配置を示す図である。
【図２１】電磁誘導現象を利用してバッテリを充電するときのトレイ部とコンソール部の構成を示す図である。
【図２２】電源アダプタを取り付けたコンソール部１００を示す図である。
【図２３】電源アダプタ付きの電源ケーブルを接続し、コンソール部に電力供給する場合の構成を示す図である。
【符号の説明】
【００７６】
１００  コンソール部                  １０１  ディスプレイ
１０２  キーボード                    １０３  マウス
１０４  ビデオ処理部                  １０５  電源供給部
１０６  ＩＰ送受信部                  １０７  ＫＶＭ処理部
１０８  シリアルＬＡＮコンバータ      １０９  ＴＥ
１１０  トレイ部                      １１１  トレイ
１１２  コンソール接続部              １１３  サーバ接続部
１１４  ガイドレール                  １１５  ケーブル
１１５ａ  電源ケーブル                １１５ｂ  キーボードケーブル
１１５ｃ  マウスケーブル              １１５ｄ  ＶＧＡケーブル
１１７  支柱                          １１８  ネットワークケーブル
１２０  ＶＧＡポート（ＯＵＴ）        １２１  マウスポート（ＩＮ）
１２２  キーボードポート（ＩＮ）      １２３  電源ポート（ＯＵＴ）
１３０  ＶＧＡポート（ＩＮ）          １３１  マウスポート（ＯＵＴ）
１３２  キーボードポート（ＯＵＴ）    １３３  電源ポート（ＩＮ）
１４０  電源ユニット                  １４１  ＫＶＭスイッチ
１４２  ＩＰ−ＫＶＭ装置              １４３  シリアルＬＡＮコンバータ
１４４  ＨＵＢ
１４５、２０２  無線ＬＡＮ送受信部
１５０  ラックマウントシステム
１５１  オペレータ                    １６１、１６２  無線通信部
１６３、１６４  データ処理部          １７０  無線通信部
１８０  アンテナ                      ２００  サーバ装置
３００  外部電源                      ３０１  充電器
３０３  発振回路                      ３０４  一次コイル
３５０  バッテリ                      ３６０  電力受給部
３６１  二次コイル                    ３７０  電源アダプタ
３７１  電源処理部
【図１】
2006185419.tif 000003
【図２】
2006185419.tif 000004
【図３】
2006185419.tif 000005
【図４】
2006185419.tif 000006
【図５】
2006185419.tif 000007
【図６】
2006185419.tif 000008
【図７】
2006185419.tif 000009
【図８】
2006185419.tif 000010
【図９】
2006185419.tif 000011
【図１０】
2006185419.tif 000012
【図１１】
2006185419.tif 000013
【図１２】
2006185419.tif 000014
【図１３】
2006185419.tif 000015
【図１４】
2006185419.tif 000016
【図１５】
2006185419.tif 000017
【図１６】
2006185419.tif 000018
【図１７】
2006185419.tif 000019
【図１８】
2006185419.tif 000020
【図１９】
2006185419.tif 000021
【図２０】
2006185419.tif 000022
【図２１】
2006185419.tif 000023
【図２２】
2006185419.tif 000024
【図２３】
2006185419.tif 000025